(57)【特許請求の範囲】
【請求項１】
パネル状の計器本体と、
該計器本体の表面側に取り付けられ、光を透過させる透光部と、光を透過させない非透光部とからなるパネル状の文字盤と、
該文字盤の表面側に配設された指針と、
該指針を上記計器本体に回転可能に支持する回転支持部と、
上記文字盤の裏面側に配設され、該文字盤に光を照射する照明用光源とを備え、
上記照明用光源から光を照射して当該光を上記文字盤の透光部から車室内に透過させるとともに、上記指針が透光部を指示することにより車両の各種状態を表示するように構成された車両用計器であって、
上記照明用光源は、指向性を有するＬＥＤからなり、上記回転支持部からその回転軸心と交差する方向に離間した位置に上記文字盤側に向かって光が照射されるように配設され、
上記計器本体には、文字盤の裏側に照明空間を構成するように、且つ、上記回転支持部を上記照明空間の外側に位置させるように隔壁が突設され、
上記隔壁は、上記照明空間の内方で互いに連続し上記回転支持部の両側で照明空間内方から外方に行くに従って上記照明用光源から漸次遠ざかりながら互いに離れるように傾斜する傾斜面部を有し、該傾斜面部は、上記照明用光源から発せられる光を上記照明空間に反射拡散させる反射壁部を構成し、
上記照明空間には、上記文字盤の裏面から離間した上記照明用光源を覆う位置で上記回転支持部側に行くに従って上記文字盤に接近するように傾斜して上記照明用光源から発せられる光の照射方向を上記反射壁部へと導く傾斜庇と、該傾斜庇の両側縁から反文字盤側で、且つ、上記回転支持部側に延びる一対の対向する光漏れ防止壁とが設けられていることを特徴とする車両用計器。
【請求項２】
請求項１に記載の車両用計器において、
上記傾斜面部の互いに連続する箇所には、照明用光源に対向する対向壁部が設けられていることを特徴とする車両用計器。
【請求項３】
請求項２に記載の車両用計器において、
上記対向壁部には、上記照明用光源から回転支持部に向かって発せられる光を通過させる光通過孔が設けられ、
上記回転支持部は、上記指針を支持する支持軸と、該支持軸を間隔をあけて収納する筒部とからなり、該筒部の上記光通過孔に対向する位置には、該光通過孔を通過した光を筒部内方に導く貫通孔が形成され、
上記指針は、上記筒部内方を通過して該指針まで到達した光を伝達して発光する導光体からなることを特徴とする車両用計器。
【発明の詳細な説明】
【技術分野】
【０００１】
本発明は、指針による指示によって車両の各種状態を表示する車両用計器に関する。
【背景技術】
【０００２】
従来より、各自動車メーカーは、車両の運転席前方に設けられた車両用計器の視認性を高めるために、該車両用計器内の照明の仕方に工夫を凝らしている。一般的な車両用計器は、パネル状の計器本体と、該計器本体の表面側に取り付けられるパネル状の文字盤と、上記計器本体に回転可能に取り付けられる指針とを備えていて、該指針が文字盤の目盛及び文字を指示することによって車両の各種状態を表示するようになっている。上記計器本体には、内方に照明空間を構成するように隔壁が突設されていて、上記文字盤の目盛及び文字は、上記隔壁寄りの位置において透光性を有するように形成されて、目盛及び文字の照明を均一にするために、上記照明空間の隔壁内面に沿って配設された複数の照明用光源から発せられる光によって直接的に照明されるようになっている。
【０００３】
また、特許文献１の車両用計器は、文字盤の裏面側に導光板を配設するとともに該導光板の一端に照明用光源を配設し、上記文字盤に形成された目盛及び文字は、照明を均一にするために、上記導光板を介して照明用光源から発せられる光によって間接的に照明されるようになっている。
【先行技術文献】
【特許文献】
【０００４】
【特許文献１】特開２００６−２３４５３７号公報（段落００１９欄、図１）
【発明の概要】
【発明が解決しようとする課題】
【０００５】
ところで、前者の直接的な照明の場合、照明用光源が複数必要であるため、コストが高くなってしまう。これを回避するために、照明用光源を目盛及び文字から等しい距離に１つ配設して目盛及び文字を均一に照明することも考えられるが、当該箇所には指針の取付部分があるので叶わず、照明用光源から目盛及び文字までの距離が不均一になって目盛及び文字を均一に照明することができなくなってしまう。
【０００６】
また、後者の間接的な照明の場合には、１つの照明用光源で、目盛及び文字を均一に照明することができるものの、導光板が必要な分だけコストが高くなってしまう。
【０００７】
本発明は、斯かる点に鑑みてなされたものであり、その目的とするところは、目盛及び文字を均一に照明して視認性の高い車両用計器を安価に提供することにある。
【課題を解決するための手段】
【０００８】
上記の目的を達成するために、本発明は、照明用光源から発せられる光を拡散させる壁を効果的に配設して文字盤の目盛及び文字の均一な照明が可能となるようにしたことを特徴とする。
【０００９】
具体的には、パネル状の計器本体と、該計器本体の表面側に取り付けられ、光を透過させる透光部と、光を透過させない非透光部とからなるパネル状の文字盤と、該文字盤の表面側に配設された指針と、該指針を上記計器本体に回転可能に支持する回転支持部と、上記文字盤の裏面側に配設され、該文字盤に光を照射する照明用光源とを備え、上記照明用光源から光を照射して当該光を上記文字盤の透光部から車室内に透過させるとともに、上記指針が透光部を指示することにより車両の各種状態を表示するように構成された車両用計器において、次のような解決手段を講じた。
【００１０】
すなわち、第１の発明では、上記照明用光源は、指向性を有するＬＥＤからなり、上記回転支持部からその回転軸心と交差する方向に離間した位置に上記文字盤側に向かって光が照射されるように配設され、上記計器本体には、文字盤の裏側に照明空間を構成するように、且つ、上記回転支持部を上記照明空間の外側に位置させるように隔壁が突設され、上記隔壁は、上記照明空間の内方で互いに連続し上記回転支持部の両側で照明空間内方から外方に行くに従って上記照明用光源から漸次遠ざかりながら互いに離れるように傾斜する傾斜面部を有し、該傾斜面部は、上記照明用光源から発せられる光を上記照明空間に反射拡散させる反射壁部を構成し、上記照明空間には、上記文字盤の裏面から離間した上記照明用光源を覆う位置で上記回転支持部側に行くに従って上記文字盤に接近するように傾斜して上記照明用光源から発せられる光の照射方向を上記反射壁部へと導く傾斜庇と、該傾斜庇の両側縁から反文字盤側で、且つ、上記回転支持部側に延びる一対の対向する光漏れ防止壁とが設けられていることを特徴とする。
【００１１】
第２の発明では、第１の発明において、上記傾斜面部の互いに連続する箇所には、照明用光源に対向する対向壁部が設けられていることを特徴とする。
【００１２】
第３の発明では、第２の発明において、上記対向壁部には、上記照明用光源から回転支持部に向かって発せられる光を通過させる光通過孔が設けられ、上記回転支持部は、上記指針を支持する支持軸と、該支持軸を間隔をあけて収納する筒部とからなり、該筒部の上記光通過孔に対向する位置には、該光通過孔を通過した光を筒部内方に導く貫通孔が形成され、上記指針は、上記筒部内方を通過して該指針まで到達した光を伝達して発光する導光体からなることを特徴とする。
【発明の効果】
【００１３】
第１の発明では、指針の回転支持部から離れた位置に照明用光源を配設しても、反射壁部が照明用光源から発せられた光を拡散させるので、照明空間全体を均一に照明することが可能となる。したがって、目盛及び文字を均一に照明できるようになって視認性が高まり、しかも、導光板を用いることなく照明用光源を最小数にできるので安価な構造となる。
【００１４】
また、傾斜庇が照明用光源から発せられる光を反射壁部に向かうように光の経路を変更するので、照明用光源から発せられる光のうち、反射壁部に向かう光の量が多くなる。したがって、反射壁部によって多くの光を拡散できるようになり、照明空間を効率良く明るくすることができる。
【００１５】
さらに、ＬＥＤを用いているのでコンパクトな構造にできる。
【００１６】
第２の発明では、照明用光源から反射壁部へと向かって発せられる光は、対向壁部によって照明用光源を挟んで該対向壁部の反対側の照明空間へと導かれるようになる。これにより、各々の傾斜面部で拡散した光の境界部分に対向壁部で光を集めることができ、照明空間全体の照明の均一性が高められる。
【００１７】
第３の発明では、文字盤に形成された目盛や文字を照明するための照明用光源を用いて、指針を発光させることができるようになる。したがって、指針用に照明用光源を別途追加する必要がなく、安価な構造となる。
【図面の簡単な説明】
【００１８】
【図１】本発明の実施形態に係る車両用計器の正面図である。
【図２】実施形態に係る車両用計器の分解斜視図である。
【図３】実施形態に係る計器本体の正面図である。
【図４】実施形態に係る計器本体の背面図である。
【図５】図１のＡ−Ａ線に対応する断面図である。
【図６】図４において光路変更壁をＢ方向から見た矢視図である。
【図７】本発明の変形例に係る図５相当図である。
【発明を実施するための形態】
【００１９】
以下、本発明の実施形態を図面に基づいて詳細に説明する。尚、以下の好ましい実施形態の説明は、本質的に例示に過ぎない。
【００２０】
図１は、本発明の車両用計器１を示す。該車両用計器１は、運転者が車両の各種状態を把握できるように運転席前方に位置するインストルメントパネル（図示せず）内に収められていて、中央にオートマチックセレクタ表示部１ａが位置し、該オートマチックセレクタ表示部１ａを挟んで車幅方向左側に速度計表示部１ｂが位置し、そして、車幅方向右側に燃料計表示部１ｃ及び水温計表示部１ｄが並んで位置している。
【００２１】
上記車両用計器１は、図２乃至図５にも示すように、パネル状の計器本体２を備え、該計器本体２の表面側には、目盛や文字を表示する文字盤３と、該文字盤３の表示を指示する指針６とが配設されている。また、上記計器本体２の裏面側には、電子部品等が実装されたプリント基板４が配設され、該プリント基板４は、その裏面側に配設されるリアケース５と上記計器本体２との間で挟み込まれて固定されるようになっている。
【００２２】
上記プリント基板４は、図２に示すように、車幅方向に延びる略矩形の板状をなす基板であり、該プリント基板４の表面側には、複数のＬＥＤ（照明用光源）４１ａ〜４１ｆと、上記指針６を支持する支持軸４２、４３ａ、４３ｂとを備えている。上記ＬＥＤ４１ａ〜４１ｆは、指向性を有していて、主に文字盤３側に向かって光が照射されるようになっている。
【００２３】
上記プリント基板４の略中央には、オートマチックセレクタ表示部１ａ用のＬＥＤ４１ｆが上下に並んで６つ配設され、該プリント基板４のＬＥＤ４１ｆより左側部分の略中央には、速度計表示部１ｂ用の指針６を回転可能に支持する支持軸４２が設けられ、該プリント基板４のＬＥＤ４１ｆより右側部分の略中央には、燃料計表示部１ｃ用及び水温計表示部１ｄ用のそれぞれの指針６を回転可能に支持する支持軸４３ａ、４３ｂが車幅方向に並んで設けられている。上記プリント基板４の裏面には、図５に示すように、モータ４４が取り付けられていて、該モータ４４の出力軸（図示せず）に上記支持軸４２が回転一体に取り付けられている。同様に、プリント基板４の裏面には、図示しないモータが取り付けられていて、該モータの出力軸に上記支持軸４３ａ、４３ｂが回転一体に取り付けられている。
【００２４】
上記プリント基板４の支持軸４２からその回転軸心と交差する上側方向に離間した位置には、図２及び図５に示すように、速度計表示部１ｂを照明するためのＬＥＤ４１ａが配設されていて、該支持軸４２の下側方近傍には、速度計表示部１ｂの指針６照明用のＬＥＤ４１ｂが配設されている。また、上記支持軸４３ａの右側方近傍には、図２に示すように、燃料計表示部１ｃの指針６照明用のＬＥＤ４１ｃが配設されていて、支持軸４３ｂの右側方近傍には、水温計表示部１ｄの指針６照明用のＬＥＤ４１ｄが配設されている。さらに、支持軸４３ａ、４３ｂからその回転軸心と交差する上側方向に離間した位置には、燃料計表示部１ｃ及び水温計表示部１ｄを照明するためのＬＥＤ４１ｅが配設されている。
【００２５】
上記計器本体２は、図３乃至図５に示すように、車幅方向に延びる略矩形状の樹脂成形品であって、板状のパネル面部２ａと、該パネル面部２ａの外周縁近傍裏面側からプリント基板４側へ突設された周壁２ｂとを備えていて、上記パネル面部２ａの裏面側には、周壁２ｂ内方において、格子状に延びる補強リブ２ｃが突設されている。
【００２６】
上記パネル面部２ａには、上下方向に延びる貫通孔２１ａがパネル面部２ａの略中央の位置において、上記プリント基板４のＬＥＤ４１ｆに対応するように形成されていて、該貫通孔２１ａの周縁には、中央隔壁２１ｂが文字盤３の裏側にオートマチックセレクタ表示部１ａ用の照明空間Ｓ１を構成するようにプリント基板４側に突設されている。
【００２７】
上記パネル面部２ａの照明空間Ｓ１より車幅方向左側の略中央には、内方が貫通する円筒部２４がプリント基板４側に突設されていて、図５に示すように、該円筒部２４は、該プリント基板４の支持軸４２を間隔をあけて収納している。ここで、本発明の回転支持部７は、上記円筒部２４と、該円筒部２４に収納されている支持軸４２とで構成されている。
【００２８】
上記円筒部２４周辺には、文字盤３の裏側において、略扇形状をなす速度計表示部１ｂ用の照明空間Ｓ２を構成するように、且つ、上記回転支持部７を照明空間Ｓ２の外側に位置させるように左側隔壁２２がプリント基板４側に突設されている。
【００２９】
上記左側隔壁２２は、図２に示すように、プリント基板４側に行くにしたがって緩やかに湾曲しながら縮径するとともに、その先端側周縁内方に開放口２２ｆが形成された隔壁本体部２２ａと、上記照明空間Ｓ２の内方で互いに連続し上記回転支持部７の両側で照明空間Ｓ２内方から外方に行くに従って上記ＬＥＤ４１ａから漸次遠ざかりながら互いに離れるように傾斜する傾斜面部２２ｃとを有していて、該傾斜面部２２ｃは、上記ＬＥＤ４１ａから発せられる光を上記照明空間Ｓ２に反射拡散させる反射壁部２２ｂを構成している。
【００３０】
上記傾斜面部２２ｃの互いに連続する箇所には、上記ＬＥＤ４１ａと対向する対向壁部２２ｄが設けられていて、上記各傾斜面部２２ｃの長手方向略中央には、照明空間Ｓ２側に突出する板状の突起２２ｅがそれぞれ形成されている。
【００３１】
上記照明空間Ｓ２には、図５に示すように、光路変更壁２５がＬＥＤ４１ａに対応する位置において、隔壁本体部２２ａの先端周縁の略中央部分から円筒部２４側に向けて突設されている。
【００３２】
上記光路変更壁２５は、文字盤３の裏面から離間した位置で上記ＬＥＤ４１ａを覆うように傾斜した略板状の傾斜庇２５ａを備えていて、該傾斜庇２５ａは、円筒部２４側に行くに従ってプリント基板４の表面から離間するように（文字盤３に接近するように）傾斜し、その基端側には、図３に示すように、円形状の貫通孔２５ｄが形成されている。また、光路変更壁２５は、上記傾斜庇２５ａの両側縁からプリント基板４側（反文字盤３側）で、且つ、上記回転支持部７側に延びる一対の対向する光漏れ防止壁２５ｂを備えていて、該光漏れ防止壁２５ｂのプリント基板４側には、円筒部２４側に解放する略矩形状の切欠２５ｃがそれぞれに形成されている。上記光路変更壁２５に形成された貫通孔２５ｄ及び切欠２５ｃは、該貫通孔２５ｄや切欠２５ｃから漏れる光を利用して、僅かに発生する照明空間Ｓ２の明暗のむらを補完できるようになっている。
【００３３】
上記パネル面部２ａの照明空間Ｓ１より車幅方向右側の略中央には、内方が貫通する円筒部２６ａ、２６ｂが車幅方向に一対並んでプリント基板４側に突設されている。上記円筒部２６ａは、プリント基板４の支持軸４３ａを間隔をあけて収納し、上記円筒部２６ｂは、プリント基板４の支持軸４３ｂを間隔をあけて収納するようになっている。ここで、本発明の回転支持部７は、円筒部２６ａと支持軸４３ａとで構成されるとともに、円筒部２６ｂと支持軸４３ｂとで構成されている。
【００３４】
上記円筒部２６ａの周辺には、文字盤３の裏側において、正面視で略Ｕ字形状をなす燃料計表示部１ｃ及び水温計表示部１ｄ用の照明空間Ｓ３を構成するように、且つ、上記円筒部２６ａと支持軸４３ａとで構成された回転支持部７を照明空間Ｓ２の外側に位置させるように右側隔壁２３がプリント基板４側に突設されている。
【００３５】
上記右側隔壁２３は、図３及び図４に示すように、パネル面部２ａの裏面からプリント基板４側に真っ直ぐ突出する板状の側壁２８と、該側壁２８の突出端に一体に形成された板状の段差壁２９とからなっている。
【００３６】
上記側壁２８は、上記照明空間Ｓ３の内方で互いに連続し上記回転支持部７の両側で照明空間Ｓ３内方から外方に行くに従って漸次遠ざかるように傾斜する傾斜面部２８ｂを有していて、該傾斜面部２８ｂは、上記ＬＥＤ４１ｅから発せられる光を上記照明空間Ｓ３に反射拡散させる反射壁部２８ａを構成している。また、上記段差壁２９には、上記反射壁部２８ａ先端周辺を囲うように開放口２９ａが形成されている。
【００３７】
上記右側隔壁２３の上方の壁には、図４に示すように、半円盤形状の光路変更壁２７が開放口２９ａに向かって突設されていて、その突出方向先端部分は、上記反射壁部２８ａ先端に繋がっている。上記光路変更壁２７は、図６に示すように、文字盤３側に行くに従って径が大きくなるように形成された半円錐台形状の傾斜庇２７ａと、該傾斜庇２７ａの文字盤３側周縁から照明空間Ｓ３内方に半円盤状に延出する延出壁２７ｂと、該延出壁２７ｂの延出端からプリント基板４側に延びる遮光壁２７ｃとからなり、該遮光壁２７ｃよりも上記傾斜庇２７ａの方がプリント基板４側に飛び出している。そして、計器本体２の裏面側にプリント基板４を取り付けると、上記光路変更壁２７の傾斜庇２７ａと計器本体２の反射壁部２８ａとの間にＬＥＤ４１ｅが位置するとともに、該ＬＥＤ４１ｅは、光路変更壁２７の延出壁２７ｂで覆われるようになっている。
【００３８】
上記文字盤３は、図２に示すように、上記計器本体２のパネル面部２ａに対応する略矩形状の板材であり、無色透明のポリカーボネートやアクリル樹脂等の透光性樹脂によって形成されている。上記文字盤３は、図１に示すように、黒色の印刷若しくは塗装が施された着色部（非透光部）３ｂと、黒色の印刷若しくは塗装が施されずに目盛や文字等がスリット状に描かれた表示部（透光部）３ａとからなっている。速度計表示部１ｂに対応する表示部３ａは、照明空間Ｓ２の隔壁本体部２２ａに沿う位置に形成され、燃料計表示部１ｃ及び水温計表示部１ｄに対応する表示部３ａは、照明空間Ｓ３における右側隔壁２３に沿う位置に形成されている。そして、上記着色部３ｂは、上記ＬＥＤ４１ａ、４１ｅから発せられる光を透過させないようになっていて、上記表示部３ａだけがＬＥＤ４１ａ、４１ｅから発せられる光を透過させるような構成となっている。
【００３９】
上記指針６は、図１に示すように、正面視で略円形状の取付部６１と、該取付部６１の表面側周縁から外側方に真っ直ぐ延びる指針本体６２とを備えている。上記取付部６１は、図５に示すように、円筒形状の固定部６１ａが取付部６１の裏面からプリント基板４側に延びるように設けられていて、該固定部６１ａを支持軸４２に嵌合することによって指針６を支持軸４２に固定できるようになっている。
【００４０】
また、上記指針本体６２は、導光体により形成されていて、図５に示すように、取付部６１から外側方に行くに従って、表面側周縁が次第に文字盤３側に位置するように緩やかに湾曲していている。上記指針本体６２の基端側には、光入射部６２ａが計器本体２の円筒部２４の解放部分に面するように突設されていて、ＬＥＤ４１ｂから発せられる光を指針本体６２内に導けるようになっている。
【００４１】
次に、プリント基板４に配設されたＬＥＤ４１ａ、４１ｅから発せられる光によって、上記文字盤３の速度計表示部１ｂ、燃料計表示部１ｃ及び水温計表示部１ｄの表示部３ａを照明する方法について説明する。
【００４２】
まず、速度計表示部１ｂの照明について説明する。図５に示すように、速度計表示部１ｂの表示部３ａ用のＬＥＤ４１ａから文字盤３の裏面側に向かって光が発せられると、光路変更壁２５の切欠２５ｃから漏れる少量の光を除いて、殆どの光が光路変更壁２５の傾斜庇２５ａに向かって移動する。
【００４３】
そして、該傾斜庇２５ａに向かう光の経路は、傾斜庇２５ａに形成された貫通孔２５ｄを通過する少量の光を除いて、殆どの光が上記傾斜庇２５ａに反射して回転支持部７側に向かうように変更される。
【００４４】
その後、上記回転支持部７側に向かって移動する光は、図３に示すように、上記反射壁部２２ｂ全体に対して均一に接触するように、車幅方向に広がるように拡散しながら移動する。
【００４５】
しかる後、対向壁部２２ｄの左側に位置する傾斜面部２２ｃに向かって移動する光の経路は、該傾斜面部２２ｃに反射して照明空間Ｓ２の左側半分を均一に照明するように変更され、対向壁部２２ｄの右側に位置する傾斜面部２２ｃに向かって移動する光の経路は、該傾斜面部２２ｃに反射して照明空間Ｓ２の右側半分を均一に照明するように変更される。さらに、対向壁部２２ｄに向かって移動する光は、上記対向壁部２２ｄによって照明空間Ｓ２の光路変更壁２５側を照明するように変更され、図５に示すように、経路が変更された光は、文字盤３裏面と傾斜庇２５ａとの間を移動し、光路変更壁２５より上方に位置する照明空間Ｓ２を照明する。
【００４６】
このように、指針６の回転支持部７から離れた位置にＬＥＤ４１ａを配設しても、反射壁部２２ｂがＬＥＤ４１ａから発せられた光を拡散させるので、照明空間Ｓ２全体を均一に照明することが可能となる。したがって、速度計表示部１ｂの表示部３ａを均一に照明できるようになって視認性が高まり、しかも、導光板を用いることなく照明空間Ｓ２を照明するＬＥＤ４１ａを１つにできるので安価な構造となる。
【００４７】
また、ＬＥＤ４１ａから反射壁部２２ｂへと向かって発せられる光は、対向壁部２２ｄによってＬＥＤ４１ａを挟んで該対向壁部２２ｄの反対側の照明空間Ｓ２へと導かれるようになる。これにより、各々の傾斜面部２２ｃで拡散した光の境界部分に対向壁部２２ｄで光を集めることができ、照明空間Ｓ２全体の照明の均一性が高められる。
【００４８】
さらに、傾斜庇２５ａがＬＥＤ４１ａから発せられる光を反射壁部２２ｂに向かうように光の経路を変更するので、ＬＥＤ４１ａから発せられる光のうち、反射壁部２２ｂに向かう光の量が多くなる。したがって、反射壁部２２ｂによって多くの光を拡散できるようになり、照明空間Ｓ２を効率良く明るくすることができる。また、対向壁部２２ｄによって反射した光は、傾斜庇２５ａに遮られることなく該傾斜庇２５ａと文字盤３との間の空間を通過して、ＬＥＤ４１ａを挟んで該対向壁部２２ｄの反対側の照明空間Ｓ２へと導かれるようになる。これにより、一対の傾斜面部２２ｃがそれぞれ拡散した光で照明するそれぞれの照明空間Ｓ２の境界部分に光を集めることができ、照明空間Ｓ２全体の照明の均一性が高められる。
【００４９】
次に、燃料計表示部１ｃ及び水温計表示部１ｄの照明について説明する。図６に示すように、ＬＥＤ４１ｅから文字盤３の裏面側に向かって発せられた光は、光路変更壁２７の傾斜庇２７ａに向かって移動する。そして、光路変更壁２７の傾斜庇２７ａに向かって移動する光の経路は、遮光壁２７ｃに遮られる少量の光を除いて、上記傾斜庇２７ａに反射して照明空間Ｓ３の燃料計表示部１ｃ側と、水温計表示部１ｄ側と、回転支持部７側とにそれぞれ変更される。
【００５０】
その後、上記回転支持部７側に向かって移動する光は、図３に示すように、上記反射壁部２８ａ全体に対して均一に接触するように、車幅方向に広がるように拡散しながら移動する。
【００５１】
しかる後、反射壁部２８ａの左側に位置する傾斜面部２８ｂに向かって移動する光の経路は、該傾斜面部２８ｂに反射して照明空間Ｓ３の左側半分、即ち燃料計表示部１ｃ側を均一に照明するように変更され、反射壁部２８ａの右側に位置する傾斜面部２８ｂに向かって移動する光の経路は、該傾斜面部２８ｂに反射して照明空間Ｓ３の右側半分、即ち水温計表示部１ｄ側を均一に照明するように変更され、照明空間Ｓ３の燃料計表示部１ｃ側と水温計表示部１ｄ側とを均一に照明するように拡散する。
【００５２】
このように、照明空間Ｓ３では、照明空間Ｓ２と同様に、指針６の回転支持部７から離れた位置にＬＥＤ４１ｅを配設しても、反射壁部２８ａがＬＥＤ４１ｅから発せられた光を拡散させるので、照明空間Ｓ３全体を均一に照明することが可能となる。したがって、燃料計表示部１ｃ及び水温計表示部１ｄの表示部３ａを均一に照明できるようになって視認性が高まり、しかも、導光板を用いることなく照明空間Ｓ３を照明するＬＥＤ４１ｅを１つにできるので安価な構造となる。
【００５３】
また、傾斜庇２７ａがＬＥＤ４１ｅから発せられる光を反射壁部２８ａに向かうように光の経路を変更するので、ＬＥＤ４１ｅから発せられる光のうち、反射壁部２８ａに向かう光の量が多くなる。したがって、反射壁部２８ａによって多くの光を拡散できるようになり、照明空間Ｓ３を効率良く明るくすることができる。
【００５４】
さらに、本発明の実施形態では、ＬＥＤ４１ａ〜４１ｆを用いているので、コンパクトな構造にできる。
【００５５】
図７は、実施形態の変形例を示す。この変形例では、以下に述べる点が上記実施形態と異なっているほかは、実施形態と同様に構成されているので、同一構成箇所には同一の符号を付してその詳細な説明は省略する。すなわち、この変形例では、指針６照明用のＬＥＤ４１ｂを設けずに、速度計表示部１ｂの目盛や文字等の表示部３ａを照明するためのＬＥＤ４１ａを利用して、指針６を照明するようにしている。
【００５６】
計器本体２の対向壁部２２ｄには、図７に示すように、プリント基板４側の位置に貫通する光通過孔２２ｇが設けられていて、上記ＬＥＤ４１ａから回転支持部７に向かって発せられる光を円筒部２４側へ通過させることが可能となっている。
【００５７】
また、上記計器本体２の円筒部２４には、上記光通過孔２２ｇに対向する位置に貫通孔２４ａが形成されていて、該貫通孔２４ａに対向する円筒部２４の周壁には、上記ＬＥＤ４１ａから発せられて光通過孔２２ｇを通過し、上記貫通孔２４ａによって円筒部２４内に導かれる光の経路を指針６側に向けて変更するように傾斜する傾斜部２４ｂが設けられている。これにより、文字盤３を照明するためのＬＥＤ４１ａから発せられた光の一部は、光通過孔２２ｇを通過するとともに貫通孔２４ａから円筒部２４内に入り、上記傾斜部２４ｂによって経路が変更されて指針６に向かって移動し、光入射部６２ａから指針本体６２内に入るようになる。
【００５８】
したがって、この変形例では、文字盤３に形成された目盛や文字等の表示部３ａを照明するためのＬＥＤ４１ａを用いて、指針６を発光させることができるようになり、指針６用にＬＥＤ４１ｂを別途追加する必要がなく、安価な構造となる。
【００５９】
尚、この変形例では、速度計表示部１ｂの指針６への適用について説明したが、燃料計表示部１ｃ及び水温計表示部１ｄの指針６へ変形例の構造を適用してもよい。
【００６０】
また、本実施形態では、文字盤３の着色部３ｂを黒色の印刷若しくは塗装により形成したが、他の色で形成してもよく、ＬＥＤ４１ａ、４１ｅから発せられる光を透過させない色であればよい。
【００６１】
さらに、本実施形態では、自動車に用いられる車両用計器１についての適用について説明したが、例えば、自動二輪車に適用してもよいし、他の車両に適用することも可能である。
【産業上の利用可能性】
【００６２】
本発明は、例えば、指針による指示によって車両の各種状態を表示する車両用計器に適している。
【符号の説明】
【００６３】
１        車両用計器
２        計器本体
３        文字盤
３ａ        表示部（透光部）
３ｂ        着色部（非透光部）
４        プリント基板
６        指針
７        回転支持部
２２        左側隔壁
２２ａ        隔壁本体部
２２ｂ        反射壁部
２２ｃ        傾斜面部
２２ｄ        対向壁部
２２ｇ        光通過孔
２３        右側隔壁
２４        円筒部
２４ａ        貫通孔
２５ａ        傾斜庇 
４１ａ        ＬＥＤ（照明用光源）
４２ 支持軸
Ｓ２ 照明空間
【図１】
0005480704.tif 000002
【図２】
0005480704.tif 000003
【図３】
0005480704.tif 000004
【図４】
0005480704.tif 000005
【図５】
0005480704.tif 000006
【図６】
0005480704.tif 000007
【図７】
0005480704.tif 000008